(57)【要約】【課題】本発明はバンジージャンプ射出器を開示した。【解決手段】底板を含み、前記底板の中には上に開口した伝送ベルトチャンバが左右に貫通して設置され、前記伝送ベルトチャンバの中には緊急停止装置が設置され、前記緊急停止装置の上側には射出装置が設置され、前記伝送ベルトチャンバの前後両側の内壁の中には防護装置が設置され、前記緊急停止装置は前記伝送ベルトチャンバの前側の内壁の中に設置された離合チャンバを含み、前記離合チャンバの中には固定軸が回転できるように設置され、前記離合チャンバの上側の内壁の中には大モーターが固定的に設置され、前記固定軸が前記大モーターに伝動できるように連結され、本発明は構成が簡単で、操作が便利で、飛び台まで付き合う人がいらなく、他人の安全を保障でき、それに飛び台に立ってから射出するまでには緩和時間があり、この時間に装置を緊急停止させ、怖気づきによる事故を回避できる。【選択図】図１
2020175069.tif 000002
【特許請求の範囲】
【請求項１】
バンジージャンプ射出器であって、底板を含み、その特徴は、前記底板の中には上に開口した伝送ベルトチャンバが左右に貫通して設置され、前記伝送ベルトチャンバの中には緊急停止装置が設置され、前記緊急停止装置の上側には射出装置が設置され、前記伝送ベルトチャンバの前後両側の内壁の中には防護装置が設置され、前記緊急停止装置は前記伝送ベルトチャンバの前側の内壁の中に設置された離合チャンバを含み、前記離合チャンバの中には固定軸が回転できるように設置され、前記離合チャンバの上側の内壁の中には大モーターが固定的に設置され、前記固定軸が前記大モーターに伝動できるように連結され、前記固定軸には上歯車と下歯車とがスプラインによって連結され、前記下歯車が前記上歯車の下側に位置し、前記上歯車と前記下歯車との間には連結軸が回転できるように連結され、前記連結軸にはＬ型棒が固定的に連結され、前記Ｌ型棒の上端が外部に伸びており且つ踏み板と固定的に連結され、前記離合チャンバの中には連結歯車が回転できるように設置され、前記連結歯車の上端が前記上歯車と噛合でき、前記連結歯車の下端が前記下歯車と噛合でき、前記連結歯車の後端には左輪軸が固定的に連結され、前記左輪軸の後端が前記伝送ベルトチャンバの後側の内壁に回転できるように連結され、前記離合チャンバの後側の内壁の中には同期ベルトチャンバが設置され、前記同期ベルトチャンバの中には左同期輪が回転できるように設置され、前記左同期輪が前記左輪軸に固定的に連結され、前記左同期輪の右側には右同期輪が回転できるように設置され、前記左同期輪と前記右同期輪との間には同期ベルトが連結され、前記右同期輪の中には右輪軸が固定的に連結され、前記右輪軸の後端が前記伝送ベルトチャンバの後側の内壁に回転できるように連結され、前記伝送ベルトチャンバの中には左プーリが回転できるように設置され、前記左プーリが前記左輪軸に固定的に連結され、前記左プーリの右側には前記右輪軸に固定的に連結された右プーリが回転できるように設置され、前記右プーリと前記左プーリとの間には伝送ベルトが連結されている；前記緊急停止装置によって装置を快速に停止させて前記射出装置を安全区域に戻せることを特徴とするバンジージャンプ射出器。
【請求項２】
前記射出装置は前記伝送ベルトの上端に固定的に連結された固定板を含み、前記固定板の中には上に開口した射出板チャンバが左右に貫通して設置され、前記射出板チャンバの前後の内壁の間には回転軸が回転できるように連結され、前記回転軸には射出板が固定的に連結され、前記射出板の下端と前記射出板チャンバの下側の内壁との間には射出撥条が固定的に連結され、前記射出板チャンバの下側の内壁の中には収納チャンバが設置され、前記収納チャンバの中には縄収納軸が回転できるように設置され、前記縄収納軸には縄収納輪が固定的に連結され、前記縄収納輪には引縄が巻き付けられ、前記引縄の上端が前記射出板に固定的に連結され、前記収納チャンバの前側の内壁の中には連結チャンバが設置され、前記連結チャンバの中には継手が回転またスライドできるように設置され、前記継手の中には後に開口した後噛合穴が設置され、前記縄収納軸の前端が前記後噛合穴に噛合でき、前記継手の中には後に開口した前噛合穴が設置され、前記前噛合穴の中にはモーター軸が噛合して連結され、前記連結チャンバの前側の内壁の中には小モーターが固定的に設置され、前記モーター軸が前記小モーターに伝動できるように連結され、前記連結チャンバの左側の内壁の中にはスライド棒チャンバが連通して設置され、前記スライド棒チャンバの中にはスライド棒がスライドできイドできるように設置され、前記復帰ブロックが前記推し棒に固定的に連結され、前記復帰ブるように設置され、前記スライド棒の下端と前記スライド棒チャンバの下側の内壁との間には圧縮撥条が固定的に連結され、前記スライド棒の中には右に開口した接触溝が前後に貫通して設置され、前記継手の左端が前記接触溝の中に伸びており、前記スライド棒チャンバの左側の内壁の中には左に開口した推し棒チャンバが連通して設置され、前記推し棒チャンバの中には推し棒がスライドできるように設置され、前記推し棒チャンバの上下両側の内壁の中には復帰溝が対称的に連通して設置され、前記復帰溝の中には復帰ブロックがスラロックの右端と前記復帰溝の右側の内壁の間には復帰撥条が固定的に連結されている；前記射出装置は前記射出板に立つ人を射出できることを特徴とする請求項１に記載のバンジージャンプ射出器。
【請求項３】
前記防護装置には前記伝送ベルトチャンバの前後の内壁の中に前後に対称的に連通して設置されたチェーンチャンバが含まれ、前記チェーンチャンバの中には右歯車が回転できるように設置され、前記固定板の前後端面の中にはラックが対称的に固定的に設置され、前記右歯車が前記ラックと噛合しており、前記右歯車の前端には右チェーン輪が固定的に連結され、前記右チェーン輪の左側には左チェーン輪が回転できるように設置され、前記右チェーン輪と前記左チェーン輪との間にはチェーンが反方向に連結され、前記左チェーン輪の後端には左歯車が固定的に連結され、前記伝送ベルトチャンバの前後両側の内壁の中には仕切板チャンバが対称的に連通して設置され、前記仕切板チャンバの右側の内壁が前記チェーンチャンバに連通しており、前記仕切板チャンバの中には仕切板がスライドできるように設置され、前記左歯車が前記仕切板と噛合している；前記防護装置は前記固定板を止めて前記射出装置をディレータイムに射出することを特徴とする請求項２に記載のバンジージャンプ射出器。
【発明の詳細な説明】
【技術分野】
【０００１】
本発明は玩具の分野を取り上げて、具体的にはバンジージャンプ射出器である。
【背景技術】
【０００２】
バンジーはＸスポーツであり、若者に大変好かれ、バンジージャンプの危険性が高く、バンジージャンプする時専門者が付き合わなければならなく、ところが必ず怖気づく人が存在し、この時不当な操作したら、自分及び付き合う人を危険に落し、そのため緩和時間のあるまた緊急停止できるバンジージャンプ射出器を設計し、本装置は飛び台に付き合う人がいらなく、他人の安全を保障でき、それに、飛び台に立ったから射出するまでには緩和時間があり、この時間に装置が緊急停止でき、怖気づきによる事故を回避できる。
【先行技術文献】
【特許文献】
【０００３】
【特許文献１】中国特許出願公開第１０８１７５９８９号明細書
【発明の概要】
【発明が解決しようとする課題】
【０００４】
本発明の解決する技術問題はバンジージャンプ射出器を提供し、それは上記現有の技術の技術問題を解決できる。
【課題を解決するための手段】
【０００５】
本発明のバンジージャンプ射出器は、底板を含み、前記底板の中には上に開口した伝送ベルトチャンバが左右に貫通して設置され、前記伝送ベルトチャンバの中には緊急停止装置が設置され、前記緊急停止装置の上側には射出装置が設置され、前記伝送ベルトチャンバの前後両側の内壁の中には防護装置が設置され、前記緊急停止装置は前記伝送ベルトチャンバの前側の内壁の中に設置された離合チャンバを含み、前記離合チャンバの中には固定軸が回転できるように設置され、前記離合チャンバの上側の内壁の中には大モーターが固定的に設置され、前記固定軸が前記大モーターに伝動できるように連結され、前記固定軸には上歯車と下歯車とがスプラインによって連結され、前記下歯車が前記上歯車の下側に位置し、前記上歯車と前記下歯車との間には連結軸が回転できるように連結され、前記連結軸にはＬ型棒が固定的に連結され、前記Ｌ型棒の上端が外部に伸びており且つ踏み板と固定的に連結され、前記離合チャンバの中には連結歯車が回転できるように設置され、前記連結歯車の上端が前記上歯車と噛合でき、前記連結歯車の下端が前記下歯車と噛合でき、前記連結歯車の後端には左輪軸が固定的に連結され、前記左輪軸の後端が前記伝送ベルトチャンバの後側の内壁に回転できるように連結され、前記離合チャンバの後側の内壁の中には同期ベルトチャンバが設置され、前記同期ベルトチャンバの中には左同期輪が回転できるように設置され、前記左同期輪が前記左輪軸に固定的に連結され、前記左同期輪の右側には右同期輪が回転できるように設置され、前記左同期輪と前記右同期輪との間には同期ベルトが連結され、前記右同期輪の中には右輪軸が固定的に連結され、前記右輪軸の後端が前記伝送ベルトチャンバの後側の内壁に回転できるように連結され、前記伝送ベルトチャンバの中には左プーリが回転できるように設置され、前記左プーリが前記左輪軸に固定的に連結され、前記左プーリの右側には前記右輪軸に固定的に連結された右プーリが回転できるように設置され、前記右プーリと前記左プーリとの間には伝送ベルトが連結され、
前記緊急停止装置によって装置を快速に停止させて前記射出装置を安全区域に戻せる。
【０００６】
更なる技術方案、前記射出装置は前記伝送ベルトの上端に固定的に連結された固定板を含み、前記固定板の中には上に開口した射出板チャンバが左右に貫通して設置され、前記射出板チャンバの前後の内壁の間には回転軸が回転できるように連結され、前記回転軸には射出板が固定的に連結され、前記射出板の下端と前記射出板チャンバの下側の内壁との間には射出撥条が固定的に連結され、前記射出板チャンバの下側の内壁の中には収納チャンバが設置され、前記収納チャンバの中には縄収納軸が回転できるように設置され、前記縄収納軸には縄収納輪が固定的に連結され、前記縄収納輪には引縄が巻き付けられ、前記引縄の上端が前記射出板に固定的に連結され、前記収納チャンバの前側の内壁の中には連結チャンバが設置され、前記連結チャンバの中には継手が回転またスライドできるように設置され、前記継手の中には後に開口した後噛合穴が設置され、前記縄収納軸の前端が前記後噛合穴に噛合でき、前記継手の中には後に開口した前噛合穴が設置され、前記前噛合穴の中にはモーター軸が噛合して連結され、前記連結チャンバの前側の内壁の中には小モーターが固定的に設置され、前記モーター軸が前記小モーターに伝動できるように連結され、前記連結チャンバの左側の内壁の中にはスライド棒チャンバが連通して設置され、前記スライド棒チャンバの中にはスライド棒がスライドできイドできるように設置され、前記復帰ブロックが前記推し棒に固定的に連結され、前記復帰ブるように設置され、前記スライド棒の下端と前記スライド棒チャンバの下側の内壁との間には圧縮撥条が固定的に連結され、前記スライド棒の中には右に開口した接触溝が前後に貫通して設置され、前記継手の左端が前記接触溝の中に伸びており、前記スライド棒チャンバの左側の内壁の中には左に開口した推し棒チャンバが連通して設置され、前記推し棒チャンバの中には推し棒がスライドできるように設置され、前記推し棒チャンバの上下両側の内壁の中には復帰溝が対称的に連通して設置され、前記復帰溝の中には復帰ブロックがスラロックの右端と前記復帰溝の右側の内壁の間には復帰撥条が固定的に連結され、
前記射出装置は前記射出板に立つ人を射出できる。
【０００７】
更なる技術方案、前記防護装置には前記伝送ベルトチャンバの前後の内壁の中に前後に対称的に連通して設置されたチェーンチャンバが含まれ、前記チェーンチャンバの中には右歯車が回転できるように設置され、前記固定板の前後端面の中にはラックが対称的に固定的に設置され、前記右歯車が前記ラックと噛合しており、前記右歯車の前端には右チェーン輪が固定的に連結され、前記右チェーン輪の左側には左チェーン輪が回転できるように設置され、前記右チェーン輪と前記左チェーン輪との間にはチェーンが反方向に連結され、前記左チェーン輪の後端には左歯車が固定的に連結され、前記伝送ベルトチャンバの前後両側の内壁の中には仕切板チャンバが対称的に連通して設置され、前記仕切板チャンバの右側の内壁が前記チェーンチャンバに連通しており、前記仕切板チャンバの中には仕切板がスライドできるように設置され、前記左歯車が前記仕切板と噛合しており、
前記防護装置は前記固定板を止めて前記射出装置をディレータイムに射出する。
【発明の効果】
【０００８】
本発明の有益な効果は下記の通りである：
【０００９】
本発明は構成が簡単で、操作が便利で、飛び台まで付き合う人がいらなく、他人の安全を保障でき、それに飛び台に立ってから射出するまでには緩和時間があり、この時間に装置を緊急停止させ、怖気づきによる事故を回避できる。
【図面の簡単な説明】
【００１０】
【図１】図１は本発明のバンジージャンプ射出器の内部構成模式図
【図２】図２は図１の「Ａ−Ａ」の方向の構成模式図
【図３】図３は図１の「Ｂ−Ｂ」の方向の構成模式図
【図４】図４は図２の「Ｃ」の拡大模式図
【図５】図５は図３の「Ｄ−Ｄ」の方向の構成模式図
【発明を実施するための形態】
【００１１】
以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【００１２】
図１−５を参考して、本発明のバンジージャンプ射出器は、底板１１を含み、前記底板１１の中には上に開口した伝送ベルトチャンバ１２が左右に貫通して設置され、前記伝送ベルトチャンバ１２の中には緊急停止装置１０２が設置され、前記緊急停止装置１０２の上側には射出装置１００が設置され、前記伝送ベルトチャンバ１２の前後両側の内壁の中には防護装置１０１が設置され、前記緊急停止装置１０２は前記伝送ベルトチャンバ１２の前側の内壁の中に設置された離合チャンバ４３を含み、前記離合チャンバ４３の中には固定軸４４が回転できるように設置され、前記離合チャンバ４３の上側の内壁の中には大モーター４８が固定的に設置され、前記固定軸４４が前記大モーター４８に伝動できるように連結され、前記固定軸４４には上歯車５１と下歯車４５とがスプラインによって連結され、前記下歯車４５が前記上歯車５１の下側に位置し、前記上歯車５１と前記下歯車４５との間には連結軸５２が回転できるように連結され、前記連結軸５２にはＬ型棒５０が固定的に連結され、前記Ｌ型棒５０の上端が外部に伸びており且つ踏み板４９と固定的に連結され、前記離合チャンバ４３の中には連結歯車４６が回転できるように設置され、前記連結歯車４６の上端が前記上歯車５１と噛合でき、前記連結歯車４６の下端が前記下歯車４５と噛合でき、前記連結歯車４６の後端には左輪軸１５が固定的に連結され、前記左輪軸１５の後端が前記伝送ベルトチャンバ１２の後側の内壁に回転できるように連結され、前記離合チャンバ４３の後側の内壁の中には同期ベルトチャンバ４２が設置され、前記同期ベルトチャンバ４２の中には左同期輪４７が回転できるように設置され、前記左同期輪４７が前記左輪軸１５に固定的に連結され、前記左同期輪４７の右側には右同期輪４０が回転できるように設置され、前記左同期輪４７と前記右同期輪４０との間には同期ベルト４１が連結され、前記右同期輪４０の中には右輪軸３０が固定的に連結され、前記右輪軸３０の後端が前記伝送ベルトチャンバ１２の後側の内壁に回転できるように連結され、前記伝送ベルトチャンバ１２の中には左プーリ１４が回転できるように設置され、前記左プーリ１４が前記左輪軸１５に固定的に連結され、前記左プーリ１４の右側には前記右輪軸３０に固定的に連結された右プーリ３１が回転できるように設置され、前記右プーリ３１と前記左プーリ１４との間には伝送ベルト１３が連結され、
前記緊急停止装置１０２によって装置を快速に停止させて前記射出装置１００を安全区域に戻せる。
【００１３】
有益なように、前記射出装置１００は前記伝送ベルト１３の上端に固定的に連結された固定板２９を含み、前記固定板２９の中には上に開口した射出板チャンバ２５が左右に貫通して設置され、前記射出板チャンバ２５の前後の内壁の間には回転軸１８が回転できるように連結され、前記回転軸１８には射出板２３が固定的に連結され、前記射出板２３の下端と前記射出板チャンバ２５の下側の内壁との間には射出撥条２２が固定的に連結され、前記射出板チャンバ２５の下側の内壁の中には収納チャンバ２８が設置され、前記収納チャンバ２８の中には縄収納軸２７が回転できるように設置され、前記縄収納軸２７には縄収納輪２６が固定的に連結され、前記縄収納輪２６には引縄２４が巻き付けられ、前記引縄２４の上端が前記射出板２３に固定的に連結され、前記収納チャンバ２８の前側の内壁の中には連結チャンバ６１が設置され、前記連結チャンバ６１の中には継手６０が回転またスライドできるように設置され、前記継手６０の中には後に開口した後噛合穴６２が設置され、前記縄収納軸２７の前端が前記後噛合穴６２に噛合でき、前記継手６０の中には後に開口した前噛合穴５９が設置され、前記前噛合穴５９の中にはモーター軸５８が噛合して連結され、前記連結チャンバ６１の前側の内壁の中には小モーター５７が固定的に設置され、前記モーター軸５８が前記小モーター５７に伝動できるように連結され、前記連結チャンバ６１の左側の内壁の中にはスライド棒チャンバ５４が連通して設置され、前記スライド棒チャンバ５４の中にはスライド棒５６がスライドできイドできるように設置され、前記復帰ブロック１９が前記推し棒１７に固定的に連結され、前記復帰ブるように設置され、前記スライド棒５６の下端と前記スライド棒チャンバ５４の下側の内壁との間には圧縮撥条５５が固定的に連結され、前記スライド棒５６の中には右に開口した接触溝６６が前後に貫通して設置され、前記継手６０の左端が前記接触溝６６の中に伸びており、前記スライド棒チャンバ５４の左側の内壁の中には左に開口した推し棒チャンバ５３が連通して設置され、前記推し棒チャンバ５３の中には推し棒１７がスライドできるように設置され、前記推し棒チャンバ５３の上下両側の内壁の中には復帰溝２１が対称的に連通して設置され、前記復帰溝２１の中には復帰ブロック１９がスラロック１９の右端と前記復帰溝２１の右側の内壁の間には復帰撥条２０が固定的に連結され、
前記射出装置１００は前記射出板２３に立つ人を射出できる。
【００１４】
有益なように、前記防護装置１０１には前記伝送ベルトチャンバ１２の前後の内壁の中に前後に対称的に連通して設置されたチェーンチャンバ３７が含まれ、前記チェーンチャンバ３７の中には右歯車３５が回転できるように設置され、前記固定板２９の前後端面の中にはラック３３が対称的に固定的に設置され、前記右歯車３５が前記ラック３３と噛合しており、前記右歯車３５の前端には右チェーン輪３４が固定的に連結され、前記右チェーン輪３４の左側には左チェーン輪３８が回転できるように設置され、前記右チェーン輪３４と前記左チェーン輪３８との間にはチェーン３６が反方向に連結され、前記左チェーン輪３８の後端には左歯車３９が固定的に連結され、前記伝送ベルトチャンバ１２の前後両側の内壁の中には仕切板チャンバ１６が対称的に連通して設置され、前記仕切板チャンバ１６の右側の内壁が前記チェーンチャンバ３７に連通しており、前記仕切板チャンバ１６の中には仕切板３２がスライドできるように設置され、前記左歯車３９が前記仕切板３２と噛合しており、
前記防護装置１０１は前記固定板２９を止めて前記射出装置１００をディレータイムに射出する。
【００１５】
使用する時、小モーター５７を始動し、それにより継手６０によって縄収納軸２７を回転連動させ、それにより縄収納輪２６を回転連動させて引縄を巻き、それにより射出板２３を回転連動させて射出撥条２２を圧縮し、射出板２３が水平になった後小モーター５７を停止させ、人が射出板２３に立ち、この時大モーター４８を始動し、それにより固定軸４４によって上歯車５１と下歯車４５を回転連動させ、この時下歯車４５と連結歯車４６とが噛合し、それにより連結歯車４６を回転連動させ、それにより左輪軸１５によって左同期輪４７と左プーリ１４とを回転連動させ、同時に左同期輪４７が同期ベルト４１によって右同期輪４０を回転連動させ、それにより右輪軸３０を回転連動させ、それにより右プーリ３１を回転連動させ、それにより左プーリ１４と右プーリ３１によって伝送ベルト１３を駆動して固定板２９をスライド連動させ、左プーリ１４と右プーリ３１とが同期的に回転して固定板２９の移動をもっと安定させ、固定板２９が左にスライドし、それによりラック３３によって右歯車３５を回転連動させ、それによりベルト伝動によって左歯車３９を回転連動させ、それにより仕切板３２を連動させて仕切板チャンバ１６から滑り出させ、両側の仕切板３２が当接した後ラック３３と右歯車３５とが離脱し、固定板２９が引続きスライドし、推し棒１７と仕切板３２とが当接した後、仕切板３２が推し棒１７を推してスライドさせ、それにより推し棒５６を推してスライドさせ、それにより継手６０をスライド連動させて縄収納軸２７から離脱させ、この時射出撥条２２の弾力によって射出板２３を推して回転連動させて人を射出し、継手６０と縄収納軸２７とが離脱する前、踏み板４９を踏み、それによりＬ型棒５０をスライド連動させ、それにより連結軸５２をスライド連動させ、それにより上歯車５１と下歯車４５をスライド連動させ、下歯車４５と連結歯車４６とが噛合状態から離脱した時固定板２９が移動しなくなり、上歯車５１と連結歯車４６とが噛合した時、伝送ベルト１３を反方向にスライドさせて固定板２９を反方向に安全区域に移動連動させる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175069.tif 000003
【図２】
2020175069.tif 000004
【図３】
2020175069.tif 000005
【図４】
2020175069.tif 000006
【図５】
2020175069.tif 000007
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
バンジージャンプ射出器であって、底板を含み、その特徴は、前記底板の中には上に開口し、且つ左右に連通した伝送ベルトチャンバが設置され、前記伝送ベルトチャンバの中には緊急停止装置が設置され、前記緊急停止装置の上側には射出装置が設置され、前記伝送ベルトチャンバの前後両側内壁の中には防護装置が対称に設置され、前記緊急停止装置は前記底板の前側端面の中に設置された離合チャンバを含み、前記離合チャンバの中には固定軸が回転できるように設置され、前記離合チャンバの上側の内壁の中には大モーターが固定的に設置され、前記固定軸が前記大モーターに伝動できるように連結され、前記固定軸には上歯車と下歯車とがスプラインによって連結され、前記下歯車が前記上歯車の下側に位置し、前記上歯車と前記下歯車との間には連結軸が回転できるように連結され、前記連結軸にはＬ型棒が固定的に連結され、前記Ｌ型棒の上端が外部に伸びており且つ踏み板と固定的に連結され、前記離合チャンバの中には連結歯車が回転できるように設置され、前記連結歯車の上端が前記上歯車と噛合でき、前記連結歯車の下端が前記下歯車と噛合でき、前記伝送ベルトチャンバの前側端壁の中には前記離合チャンバの後側に位置した同期ベルトチャンバが設置され、前記連結歯車の後端には左輪軸が固定的に連結され、前記左輪軸の後端が前記同期ベルトチャンバを貫通し、且つ前記伝送ベルトチャンバの後側内壁と回転できるように連結され、前記同期ベルトチャンバの中には左同期輪が回転できるように設置され、前記左同期輪が前記左輪軸に固定的に連結され、前記左同期輪の右側には右同期輪が回転できるように設置され、前記左同期輪と前記右同期輪との間には同期ベルトが連結され、前記右同期輪の中には右輪軸が固定的に連結され、前記右輪軸の後端が前記伝送ベルトチャンバの後側の内壁に回転できるように連結され、前記伝送ベルトチャンバの中には左プーリが回転できるように設置され、前記左プーリが前記左輪軸に固定的に連結され、前記左プーリの右側には前記右輪軸に固定的に連結された右プーリが回転できるように設置され、前記右プーリと前記左プーリとの間には伝送ベルトが連結されている；前記緊急停止装置によって前記射出装置を停止させて安全区域に戻せることを特徴とするバンジージャンプ射出器。
【請求項２】
前記射出装置は前記伝送ベルトの上端に固定的に連結された固定板を含み、前記固定板の中には上方に開口し、且つ左右に連通した射出板チャンバが設置され、前記射出板チャンバの前後の内壁の間には回転軸が回転できるように連結され、前記回転軸には射出板が固定的に連結され、前記射出板の下端と前記射出板チャンバの下側の内壁との間には射出撥条が固定的に連結され、前記射出板チャンバの下側の内壁の中には収納チャンバが設置され、前記収納チャンバの中には縄収納軸が回転できるように設置され、前記縄収納軸には縄収納輪が固定的に連結され、前記縄収納輪には引縄が巻き付けられ、前記引縄の上端が前記射出板に固定的に連結され、前記収納チャンバの前側の内壁の中には連結チャンバが設置され、前記連結チャンバの中には継手が回転またスライドできるように設置され、前記継手の中には後に開口した後噛合穴が設置され、前記縄収納軸の前端が前記後噛合穴に噛合でき、前記継手の中には後に開口した前噛合穴が設置され、前記前噛合穴の中にはモーター軸が噛合して連結され、前記連結チャンバの前側の内壁の中には小モーターが固定的に設置され、前記モーター軸が前記小モーターに伝動できるように連結され、前記連結チャンバの左側の内壁の中にはスライド棒チャンバが連通して設置され、前記スライド棒チャンバの中にはスライド棒がスライドできるように設置され、前記スライド棒の下端と前記スライド棒チャンバの下側の内壁との間には圧縮撥条が固定的に連結され、前記スライド棒の中には右に開口した接触溝が前後に貫通して設置され、前記継手の左端が前記接触溝の中に伸びており、前記スライド棒チャンバの左側の内壁の中には左に開口した推し棒チャンバが連通して設置され、前記推し棒チャンバの中には推し棒がスライドできるように設置され、前記推し棒チャンバの上下両側の内壁の中には復帰溝が対称に設置され、前記復帰溝が前記推し棒チャンバに連通しており、前記復帰溝の中には復帰ブロックがスライドできるように設置され、前記復帰ブロックが前記推し棒に固定的に連結され、前記復帰ブロックの右端と前記復帰溝の右側の内壁の間には復帰撥条が固定的に連結されている；前記射出装置は前記射出板に立つ人を射出できることを特徴とする請求項１に記載のバンジージャンプ射出器。
【請求項３】
前記防護装置は前記伝送ベルトチャンバの前後の内壁の中に前後対称に設置されたチェーンチャンバを含み、前記チェーンチャンバが前記伝送ベルトチャンバに連通しており、前記チェーンチャンバの中には右歯車が回転できるように設置され、前記固定板の前後端面の中には前記固定板と固定的に連結されたラックが対称に設置され、前記右歯車が前記ラックと噛合しており、前記右歯車の前端には右チェーン輪が固定的に連結され、前記右チェーン輪の左側には左チェーン輪が回転できるように設置され、前記右チェーン輪と前記左チェーン輪との間にはチェーンが反方向に連結され、前記左チェーン輪の後端には左歯車が固定的に連結され、前記伝送ベルトチャンバの前後両側の内壁の中には仕切板チャンバが対称に設置され、前記仕切板チャンバが前記伝送ベルトチャンバに連通しており、前記仕切板チャンバの右側の内壁が前記チェーンチャンバに連通しており、前記仕切板チャンバの中には仕切板がスライドできるように設置され、前記左歯車が前記仕切板と噛合している；前記防護装置は前記固定板を止めて前記射出装置をディレータイムに射出することを特徴とする請求項２に記載のバンジージャンプ射出器。
【手続補正２】
【補正対象書類名】明細書
【補正対象項目名】全文
【補正方法】変更
【補正の内容】
【発明の詳細な説明】
【技術分野】
【０００１】
本発明は玩具の分野を取り上げて、具体的にはバンジージャンプ射出器である。
【背景技術】
【０００２】
バンジーはＸスポーツであり、若者に大変好かれ、バンジージャンプの危険性が高く、バンジージャンプする時専門者が付き合わなければならなく、ところが必ず怖気づく人が存在し、この時不当な操作したら、自分及び付き合う人を危険に落し、そのため緩和時間のあるまた緊急停止できるバンジージャンプ射出器を設計し、本装置は飛び台に付き合う人がいらなく、他人の安全を保障でき、それに、飛び台に立ったから射出するまでには緩和時間があり、この時間に装置が緊急停止でき、怖気づきによる事故を回避できる。
【先行技術文献】
【特許文献】
【０００３】
【特許文献１】中国特許出願公開第１０８１７５９８９号明細書
【発明の概要】
【発明が解決しようとする課題】
【０００４】
本発明の解決する技術問題はバンジージャンプ射出器を提供し、それは上記現有の技術の技術問題を解決できる。
【課題を解決するための手段】
【０００５】
本発明のバンジージャンプ射出器は、底板を含み、前記底板の中には上に開口し、且つ左右に連通した伝送ベルトチャンバが設置され、前記伝送ベルトチャンバの中には緊急停止装置が設置され、前記緊急停止装置の上側には射出装置が設置され、前記伝送ベルトチャンバの前後両側内壁の中には防護装置が対称に設置され、前記緊急停止装置は前記底板の前側端面の中に設置された離合チャンバを含み、前記離合チャンバの中には固定軸が回転できるように設置され、前記離合チャンバの上側の内壁の中には大モーターが固定的に設置され、前記固定軸が前記大モーターに伝動できるように連結され、前記固定軸には上歯車と下歯車とがスプラインによって連結され、前記下歯車が前記上歯車の下側に位置し、前記上歯車と前記下歯車との間には連結軸が回転できるように連結され、前記連結軸にはＬ型棒が固定的に連結され、前記Ｌ型棒の上端が外部に伸びており且つ踏み板と固定的に連結され、前記離合チャンバの中には連結歯車が回転できるように設置され、前記連結歯車の上端が前記上歯車と噛合でき、前記連結歯車の下端が前記下歯車と噛合でき、前記伝送ベルトチャンバの前側端壁の中には前記離合チャンバの後側に位置した同期ベルトチャンバが設置され、前記連結歯車の後端には左輪軸が固定的に連結され、前記左輪軸の後端が前記同期ベルトチャンバを貫通し、且つ前記伝送ベルトチャンバの後側内壁と回転できるように連結され、前記同期ベルトチャンバの中には左同期輪が回転できるように設置され、前記左同期輪が前記左輪軸に固定的に連結され、前記左同期輪の右側には右同期輪が回転できるように設置され、前記左同期輪と前記右同期輪との間には同期ベルトが連結され、前記右同期輪の中には右輪軸が固定的に連結され、前記右輪軸の後端が前記伝送ベルトチャンバの後側の内壁に回転できるように連結され、前記伝送ベルトチャンバの中には左プーリが回転できるように設置され、前記左プーリが前記左輪軸に固定的に連結され、前記左プーリの右側には前記右輪軸に固定的に連結された右プーリが回転できるように設置され、前記右プーリと前記左プーリとの間には伝送ベルトが連結され、
前記緊急停止装置によって前記射出装置を停止させて安全区域に戻せる。
【０００６】
更なる技術方案、前記射出装置は前記伝送ベルトの上端に固定的に連結された固定板を含み、前記固定板の中には上方に開口し、且つ左右に連通した射出板チャンバが設置され、前記射出板チャンバの前後の内壁の間には回転軸が回転できるように連結され、前記回転軸には射出板が固定的に連結され、前記射出板の下端と前記射出板チャンバの下側の内壁との間には射出撥条が固定的に連結され、前記射出板チャンバの下側の内壁の中には収納チャンバが設置され、前記収納チャンバの中には縄収納軸が回転できるように設置され、前記縄収納軸には縄収納輪が固定的に連結され、前記縄収納輪には引縄が巻き付けられ、前記引縄の上端が前記射出板に固定的に連結され、前記収納チャンバの前側の内壁の中には連結チャンバが設置され、前記連結チャンバの中には継手が回転またスライドできるように設置され、前記継手の中には後に開口した後噛合穴が設置され、前記縄収納軸の前端が前記後噛合穴に噛合でき、前記継手の中には後に開口した前噛合穴が設置され、前記前噛合穴の中にはモーター軸が噛合して連結され、前記連結チャンバの前側の内壁の中には小モーターが固定的に設置され、前記モーター軸が前記小モーターに伝動できるように連結され、前記連結チャンバの左側の内壁の中にはスライド棒チャンバが連通して設置され、前記スライド棒チャンバの中にはスライド棒がスライドできるように設置され、前記スライド棒の下端と前記スライド棒チャンバの下側の内壁との間には圧縮撥条が固定的に連結され、前記スライド棒の中には右に開口した接触溝が前後に貫通して設置され、前記継手の左端が前記接触溝の中に伸びており、前記スライド棒チャンバの左側の内壁の中には左に開口した推し棒チャンバが連通して設置され、前記推し棒チャンバの中には推し棒がスライドできるように設置され、前記推し棒チャンバの上下両側の内壁の中には復帰溝が対称に設置され、前記復帰溝が前記推し棒チャンバに連通しており、前記復帰溝の中には復帰ブロックがスライドできるように設置され、前記復帰ブロックが前記推し棒に固定的に連結され、前記復帰ブロックの右端と前記復帰溝の右側の内壁の間には復帰撥条が固定的に連結され、
前記射出装置は前記射出板に立つ人を射出できる。
【０００７】
更なる技術方案、前記防護装置は前記伝送ベルトチャンバの前後の内壁の中に前後対称に設置されたチェーンチャンバを含み、前記チェーンチャンバが前記伝送ベルトチャンバに連通しており、前記チェーンチャンバの中には右歯車が回転できるように設置され、前記固定板の前後端面の中には前記固定板と固定的に連結されたラックが対称に設置され、前記右歯車が前記ラックと噛合しており、前記右歯車の前端には右チェーン輪が固定的に連結され、前記右チェーン輪の左側には左チェーン輪が回転できるように設置され、前記右チェーン輪と前記左チェーン輪との間にはチェーンが反方向に連結され、前記左チェーン輪の後端には左歯車が固定的に連結され、前記伝送ベルトチャンバの前後両側の内壁の中には仕切板チャンバが対称に設置され、前記仕切板チャンバが前記伝送ベルトチャンバに連通しており、前記仕切板チャンバの右側の内壁が前記チェーンチャンバに連通しており、前記仕切板チャンバの中には仕切板がスライドできるように設置され、前記左歯車が前記仕切板と噛合しており、
前記防護装置は前記固定板を止めて前記射出装置をディレータイムに射出する。
【発明の効果】
【０００８】
本発明の有益な効果は下記の通りである：
【０００９】
本発明は構成が簡単で、操作が便利で、飛び台まで付き合う人がいらなく、他人の安全を保障でき、それに飛び台に立ってから射出するまでには緩和時間があり、この時間に装置を緊急停止させ、怖気づきによる事故を回避できる。
【図面の簡単な説明】
【００１０】
【図１】図１は本発明のバンジージャンプ射出器の内部構成模式図
【図２】図２は図１の「Ａ−Ａ」の方向の構成模式図
【図３】図３は図１の「Ｂ−Ｂ」の方向の構成模式図
【図４】図４は図２の「Ｃ」の拡大模式図
【図５】図５は図３の「Ｄ−Ｄ」の方向の構成模式図
【発明を実施するための形態】
【００１１】
下記に図１〜５をあわせて本発明について詳しく説明し、便利に説明するために、下記の方向を以下のように規定する：以下に述べる上下左右前後の方向と図１の自身投影関係の上下左右前後の方向とが一致であり、左プーリ１４の固定板２９に対し設置された位置を左側にし、右プーリ３１の固定板２９に対し設置された位置を右側にする。
【００１２】
図１−５を参考して、本発明のバンジージャンプ射出器は、底板１１を含み、前記底板１１の中には上に開口し、且つ左右に連通した伝送ベルトチャンバ１２が設置され、前記伝送ベルトチャンバ１２の中には緊急停止装置１０２が設置され、前記緊急停止装置１０２の上側には射出装置１００が設置され、前記伝送ベルトチャンバ１２の前後両側内壁の中には防護装置１０１が対称に設置され、前記緊急停止装置１０２は前記底板１１の前側端面の中に設置された離合チャンバ４３を含み、前記離合チャンバ４３の中には固定軸４４が回転できるように設置され、前記離合チャンバ４３の上側の内壁の中には大モーター４８が固定的に設置され、前記固定軸４４が前記大モーター４８に伝動できるように連結され、前記固定軸４４には上歯車５１と下歯車４５とがスプラインによって連結され、前記下歯車４５が前記上歯車５１の下側に位置し、前記上歯車５１と前記下歯車４５との間には連結軸５２が回転できるように連結され、前記連結軸５２にはＬ型棒５０が固定的に連結され、前記Ｌ型棒５０の上端が外部に伸びており且つ踏み板４９と固定的に連結され、前記離合チャンバ４３の中には連結歯車４６が回転できるように設置され、前記連結歯車４６の上端が前記上歯車５１と噛合でき、前記連結歯車４６の下端が前記下歯車４５と噛合でき、前記伝送ベルトチャンバ１２の前側端壁の中には前記離合チャンバ４３の後側に位置した同期ベルトチャンバ４２が設置され、前記連結歯車４６の後端には左輪軸１５が固定的に連結され、前記左輪軸１５の後端が前記同期ベルトチャンバ４２を貫通し、且つ前記伝送ベルトチャンバ１２の後側内壁と回転できるように連結され、前記同期ベルトチャンバ４２の中には左同期輪４７が回転できるように設置され、前記左同期輪４７が前記左輪軸１５に固定的に連結され、前記左同期輪４７の右側には右同期輪４０が回転できるように設置され、前記左同期輪４７と前記右同期輪４０との間には同期ベルト４１が連結され、前記右同期輪４０の中には右輪軸３０が固定的に連結され、前記右輪軸３０の後端が前記伝送ベルトチャンバ１２の後側の内壁に回転できるように連結され、前記伝送ベルトチャンバ１２の中には左プーリ１４が回転できるように設置され、前記左プーリ１４が前記左輪軸１５に固定的に連結され、前記左プーリ１４の右側には前記右輪軸３０に固定的に連結された右プーリ３１が回転できるように設置され、前記右プーリ３１と前記左プーリ１４との間には伝送ベルト１３が連結され、
前記緊急停止装置１０２によって前記射出装置１００を停止させて安全区域に戻せる。
【００１３】
有益なように、前記射出装置１００は前記伝送ベルト１３の上端に固定的に連結された固定板２９を含み、前記固定板２９の中には上方に開口し、且つ左右に連通した射出板チャンバ２５が設置され、前記射出板チャンバ２５の前後の内壁の間には回転軸１８が回転できるように連結され、前記回転軸１８には射出板２３が固定的に連結され、前記射出板２３の下端と前記射出板チャンバ２５の下側の内壁との間には射出撥条２２が固定的に連結され、前記射出板チャンバ２５の下側の内壁の中には収納チャンバ２８が設置され、前記収納チャンバ２８の中には縄収納軸２７が回転できるように設置され、前記縄収納軸２７には縄収納輪２６が固定的に連結され、前記縄収納輪２６には引縄２４が巻き付けられ、前記引縄２４の上端が前記射出板２３に固定的に連結され、前記収納チャンバ２８の前側の内壁の中には連結チャンバ６１が設置され、前記連結チャンバ６１の中には継手６０が回転またスライドできるように設置され、前記継手６０の中には後に開口した後噛合穴６２が設置され、前記縄収納軸２７の前端が前記後噛合穴６２に噛合でき、前記継手６０の中には後に開口した前噛合穴５９が設置され、前記前噛合穴５９の中にはモーター軸５８が噛合して連結され、前記連結チャンバ６１の前側の内壁の中には小モーター５７が固定的に設置され、前記モーター軸５８が前記小モーター５７に伝動できるように連結され、前記連結チャンバ６１の左側の内壁の中にはスライド棒チャンバ５４が連通して設置され、前記スライド棒チャンバ５４の中にはスライド棒５６がスライドできるように設置され、前記スライド棒５６の下端と前記スライド棒チャンバ５４の下側の内壁との間には圧縮撥条５５が固定的に連結され、前記スライド棒５６の中には右に開口した接触溝６６が前後に貫通して設置され、前記継手６０の左端が前記接触溝６６の中に伸びており、前記スライド棒チャンバ５４の左側の内壁の中には左に開口した推し棒チャンバ５３が連通して設置され、前記推し棒チャンバ５３の中には推し棒１７がスライドできるように設置され、前記推し棒チャンバ５３の上下両側の内壁の中には復帰溝２１が対称に設置され、前記復帰溝２１が前記推し棒チャンバ５３に連通しており、前記復帰溝２１の中には復帰ブロック１９がスライドできるように設置され、前記復帰ブロック１９が前記推し棒１７に固定的に連結され、前記復帰ブロック１９の右端と前記復帰溝２１の右側の内壁の間には復帰撥条２０が固定的に連結され、
前記射出装置１００は前記射出板２３に立つ人を射出できる。
【００１４】
有益なように、前記防護装置１０１は前記伝送ベルトチャンバ１２の前後の内壁の中に前後対称に設置されたチェーンチャンバ３７を含み、前記チェーンチャンバ３７が前記伝送ベルトチャンバ１２に連通しており、前記チェーンチャンバ３７の中には右歯車３５が回転できるように設置され、前記固定板２９の前後端面の中には前記固定板２９と固定的に連結されたラック３３が対称に設置され、前記右歯車３５が前記ラック３３と噛合しており、前記右歯車３５の前端には右チェーン輪３４が固定的に連結され、前記右チェーン輪３４の左側には左チェーン輪３８が回転できるように設置され、前記右チェーン輪３４と前記左チェーン輪３８との間にはチェーン３６が反方向に連結され、前記左チェーン輪３８の後端には左歯車３９が固定的に連結され、前記伝送ベルトチャンバ１２の前後両側の内壁の中には仕切板チャンバ１６が対称に設置され、前記仕切板チャンバ１６が前記伝送ベルトチャンバ１２に連通しており、前記仕切板チャンバ１６の右側の内壁が前記チェーンチャンバ３７に連通しており、前記仕切板チャンバ１６の中には仕切板３２がスライドできるように設置され、前記左歯車３９が前記仕切板３２と噛合しており、
前記防護装置１０１は前記固定板２９を止めて前記射出装置１００をディレータイムに射出する。
【００１５】
使用する時、小モーター５７を始動し、それにより継手６０によって縄収納軸２７を回転連動させ、それにより縄収納輪２６を回転連動させて引縄を巻き、それにより射出板２３を回転連動させて射出撥条２２を圧縮し、射出板２３が水平になった後小モーター５７を停止させ、人が射出板２３に立ち、この時大モーター４８を始動し、それにより固定軸４４によって上歯車５１と下歯車４５を回転連動させ、この時下歯車４５と連結歯車４６とが噛合し、それにより連結歯車４６を回転連動させ、それにより左輪軸１５によって左同期輪４７と左プーリ１４とを回転連動させ、同時に左同期輪４７が同期ベルト４１によって右同期輪４０を回転連動させ、それにより右輪軸３０を回転連動させ、それにより右プーリ３１を回転連動させ、それにより左プーリ１４と右プーリ３１によって伝送ベルト１３を駆動して固定板２９をスライド連動させ、左プーリ１４と右プーリ３１とが同期的に回転して固定板２９の移動をもっと安定させ、固定板２９が左にスライドし、それによりラック３３によって右歯車３５を回転連動させ、それによりベルト伝動によって左歯車３９を回転連動させ、それにより仕切板３２を連動させて仕切板チャンバ１６から滑り出させ、両側の仕切板３２が当接した後ラック３３と右歯車３５とが離脱し、固定板２９が引続きスライドし、推し棒１７と仕切板３２とが当接した後、仕切板３２が推し棒１７を推してスライドさせ、それにより推し棒５６を推してスライドさせ、それにより継手６０をスライド連動させて縄収納軸２７から離脱させ、この時射出撥条２２の弾力によって射出板２３を推して回転連動させて人を射出し、継手６０と縄収納軸２７とが離脱する前、踏み板４９を踏み、それによりＬ型棒５０をスライド連動させ、それにより連結軸５２をスライド連動させ、それにより上歯車５１と下歯車４５をスライド連動させ、下歯車４５と連結歯車４６とが噛合状態から離脱した時固定板２９が移動しなくなり、上歯車５１と連結歯車４６とが噛合した時、伝送ベルト１３を反方向にスライドさせて固定板２９を反方向に安全区域に移動連動させる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。